(57)【要約】      （修正有）【課題】リジッド・フレックス配線板の筐体への折り曲げ収納の際、フレキ部を折り曲げた時に発生する内周側のたわみや折り目をなくし、さらに、フレキ部を折り曲げて、筐体にリジッド・フレックス多層プリント配線板を収納する際のトータル厚みを薄くすることができる収納方法及びリジッド・フレックス多層プリント配線板の提供。【解決手段】一方のリジッド部４から２以上のフレキ部が引き出され、該引き出されたフレキ部２，３の延在する先が他方のリジッド部５と接続一体化されたリジッド・フレックス多層プリント配線板を、そのフレキ部を略Ｓ字状に折り曲げて筐体に収納する。何れか一方のリジッド部に、フレキ部の略Ｓ字状折り曲げ時にその一部を収納保持する凹溝部を設けたリジッド・フレックス多層プリント配線板。【選択図】      図５
2004221222.tif 000002
【特許請求の範囲】
【請求項１】
一方のリジッド部から２以上のフレキ部が引き出され、該引き出されたフレキ部の延在する先が他方のリジッド部と接続一体化されたリジッド・フレックス多層プリント配線板を、そのフレキ部を略Ｓ字状に折り曲げて筐体に収納することを特徴とするリジッド・フレックス多層プリント配線板の筐体へ収納方法。
【請求項２】
何れか一方のリジッド部に凹溝部を形成し、当該凹溝部にフレキ部の一部を収納保持せしめつつ略Ｓ字状に折り曲げることを特徴とする請求項１記載のリジッド・フレックス多層プリント配線板の筐体への収納方法。
【請求項３】
何れか一方のリジッド部に、フレキ部の略Ｓ字状折り曲げ時にその一部を収納保持する凹溝部を有することを特徴とするリジッド・フレックス多層プリント配線板。
【発明の詳細な説明】
【０００１】
【発明の属する技術分野】
本発明は、リジッド部から複数のフレキ部が引き出されているリジッド・フレックス多層プリント配線板を、筐体に収納する際にそのフレキ部のたわみを解消し、フレキ部の断線を防止する収納方法及びその収納方法に好適なリジッド・フレックス多層プリント配線板に関する。
【０００２】
【従来の技術】
従来、リジッド・フレックス多層プリント配線板は、リジッド部から複数のフレキ部が引き出され、該引き出されたフレキ部の延在する先が他のリジッド部と接続され一体化される構造となっているため、筐体にリジッド・フレックス多層プリント配線板のフレキ部を折り曲げて収納する際、外側のフレキ部と内側のフレキ部の長さが同一なため内側のフレキ部にたわみが生じ、それが原因でフレキ部に折り目が発生し、断線に至る不良がしばしば発生していた。
【０００３】
この現象は、各フレキ部の長さが同一なために発生する不具合であり、折り曲げ角度が鋭角になるほど、フレキ部に折り目（断線）が顕著に現れる。
【０００４】
図７は、従来技術のリジッド・フレックス多層プリント配線板１１の断面図であり、フレキ部１２、１３とリジッド部１４、１５の構造となっている。リジッド部１４の別々の層からフレキ部１２、１３がそれぞれ延在し、リジッド部１５の各層と接続一体化している。
【０００５】
図８は、フレキ部を折り曲げた際の状態を示す。リジッド部１４、１５を繋ぐフレキ部１２、１３は同一の長さのため、折り曲げた際、内側にあたるフレキ部１２は円形には曲がらずに一部折り目を持った状態で折れ曲がる。
【０００６】
上記記載の不具合を解決するため、一般にリジッド部１４、１５間のフレキ部１２、１３の距離を外周側と内周側で変化させるが、積層時の位置合わせが困難であり、非常に歩留まりが悪い。
【０００７】
また、特開平２００２−１６３２３公報が示すように、一層のフレキ部を２経路に分けて作成し、両経路のフレキ基板を線対称に折り込むことにより、複数層からフレキ部が延在する状態と同じ機能を持たせる提案もなされているが、この構成であっても、フレキ部の外周側と内周側の距離が同一なため線対称で折り曲げると折り目にたわみが発生し、断線に至る場合があるため、十分な対策とはならなかった。
【０００８】
【発明が解決しようとする課題】
本発明は、上記記載の問題点を解決すべくなされたもので、内周側に発生するたわみによるフレキ部の折り目の発生や配線の断線を防止することができるリジッド・フレックス多層プリント配線板の筐体への収納方法を提供することを目的とする。
【０００９】
また特に、筐体に収納時のリジッド・フレックス多層プリント配線板のトータル厚みを薄くすることができるリジッド・フレックス多層プリント配線板の筐体への収納方法、更にその収納方法に好適なリジッド・フレックス多層プリント配線板を提供することを目的とする。
【００１０】
【課題を解決するための手段】
請求項１記載の発明は、一方のリジッド部から２以上のフレキ部が引き出され、該引き出されたフレキ部の延在する先が他方のリジッド部と接続一体化されたリジッド・フレックス多層プリント配線板を、そのフレキ部を略Ｓ字状に折り曲げて筐体に収納することにより上記目的を達成したものである。
すなわち、フレキ部を略Ｓ字状に折り曲げることによって、内周側に発生していたたわみを吸収でき、フレキ部に折り目ができず配線が断線することが防止される。
【００１１】
請求項２記載の発明は、請求項１記載の収納方法において、何れか一方のリジッド部に凹溝部を形成し、当該凹溝部にフレキ部の一部を収納保持せしめつつ略Ｓ字状に折り曲げることにより上記目的を達成したものである。
因に、フレキ部を略Ｓ字状に折り曲げて筐体に収納する場合、２以上のフレキ部が折り曲げられてリジッド部に重なり合う状態となるため、当該リジッド部とフレキ部が重ね合わされる部分は厚みが増し、筐体への収納上の問題が発生する場合がある。このような場合は上記の如く、フレキ部を折り曲げ、リジッド部に重なる位置に相当するリジッド部分に、フレキ部の幅に沿ってザグリ加工を施して凹溝部を形成し、当該凹溝部にフレキ部を収納保持することによって、トータルの厚みを薄くすることができ、筐体の厚さも薄くすることが可能になる。さらに、リジッド部にこの凹溝部を設けることで正確なフレキ部の位置決めも可能となる。
【００１２】
請求項３記載の発明は、何れか一方のリジッド部に、フレキ部の略Ｓ字状折り曲げ時にその一部を収納保持する凹溝部を有するリジッド・フレックス多層プリント配線板により上記目的を達成したものである。
すなわち、斯かる凹溝部を有するリジッド・フレックス多層プリント配線板を用いることにより、フレキ部の略Ｓ字状の折り曲げ時にその一部を凹溝部に収納保持することができるので、フレキ部とリジッド部が重なり合う部分の厚みを薄くできる。
【００１３】
【発明の実施の形態】
本発明の実施の形態を以下に説明する。
図１は、本発明のリジッド・フレックス多層プリント配線板を真上から見た平面図である。図２は、リジッド・フレックス多層プリント配線板を図１に対して反対面から見た底面図である。図３は、図１のＡ−Ａ線断面図である。
【００１４】
図１〜３において、リジッド・フレックス多層プリント配線板１は、フレキ部２、３とリジッド部４、５を備え、リジッド部４、５にフレキ部２、３を挟み込むような構造になっている。
【００１５】
図４は、図１のＢ−Ｂ線断面図である。
【００１６】
図４において、フレキ部２、３を折り曲げた際にフレキ部３がリジッド部５に重なる位置に相当するリジッド部分に、フレキ部２、３の幅に沿ってザグリ加工により凹溝部６が形成されている。
【００１７】
前記記載の凹溝部６は、折り曲げたフレキ部を収納保持し得るものであれば、その具体的形設法は特に限定されないが、基板を積層する前に開口部を設けて形成する方が量産をする上で効率がよく好ましい。
【００１８】
図５は、本発明のリジッド・フレックス多層プリント配線板のフレキ部を略Ｓ字状に折り曲げた状態を示す断面図である。
【００１９】
図５においては、フレキ部２、３は、一旦１８０°折り曲げられた後、さらに１８０°反転し、凹溝部６に沿って略Ｓ字状に折り曲げられている。
【００２０】
図６は、図５のＣ−Ｃ線断面図である。
【００２１】
図６において、フレキ部３は折り曲げられてその一部がリジッド部５の凹溝部６に収納保持されている。
【００２２】
尚、図５、６では、フレキ部３のみが凹溝部６に収納されているが、フレキ部２、３ともに収納しても構わない。
【００２３】
而して、上記図５、６の状態で、筐体にリジッド・フレックス多層プリント配線板を収納する。
【００２４】
【発明の効果】
本発明によれば、リジッド・フレックス多層プリント配線板の筐体への折り曲げ収納の際、フレキ部を折り曲げた時に発生する内周側のたわみや折り目をなくすることができる。特に、リジッド部の凹溝部を利用すれば、筐体にリジッド・フレックス多層プリント配線板を収納する際のトータル厚みを薄くすることができる。
【図面の簡単な説明】
【図１】図１は、本発明のリジッド・フレックス多層プリント配線板の平面図。
【図２】図２は、本発明リジッド・フレックス多層プリント配線板の底面図。
【図３】図３は、図１のＡ−Ａ線断面図。
【図４】図４は、図１のＢ−Ｂ線断面図。
【図５】図５は、本発明リジッド・フレックス多層プリント配線板のフレキ部折り曲げ時の断面図。
【図６】図６は、図５のＣ−Ｃ線断面図。
【図７】図７は、従来リジッド・フレックス多層プリント配線板の断面図。
【図８】図８は、従来リジッド・フレックス多層プリント配線板のフレキ部折り曲げ時の断面図。
【符号の説明】
１、１１：リジッド・フレックス多層プリント配線板
４、５、１４、１５：リジッド部
２、３、１２、１３：フレキ部
６：凹溝部
【図１】
2004221222.tif 000003
【図２】
2004221222.tif 000004
【図３】
2004221222.tif 000005
【図４】
2004221222.tif 000006
【図５】
2004221222.tif 000007
【図６】
2004221222.tif 000008
【図７】
2004221222.tif 000009
【図８】
2004221222.tif 000010